(57)【特許請求の範囲】
【請求項１】
３極の接点が収納され全接点を一括してオンにするオン操作の可能なハンドルが一面から外部に露出した器体と、器体に配設され各接点がそれぞれ挿入された主電路を形成する３組の１次側導体および２次側導体と、２次側導体のうちの２本をそれぞれ１次入力線として貫通させる２個の変流器とを備えた回路遮断器において、各変流器を貫通する２次側導体が並行するように両変流器を並設した形で一括して収納するケースが器体内に配設されるとともに、両変流器の２次出力線がケースの１箇所からまとめて引き出されており、変流器に貫通される２本の２次側導体において変流器に貫通する部位と、変流器に貫通されない１本の２次側導体の一部とがそれぞれ絶縁被覆電線からなり、変流器に貫通されない１本の２次側導体における絶縁被覆電線が嵌合する位置決め凹所がケースの外周部に形成されていることを特徴とする回路遮断器。
【請求項２】
前記２次出力線が両変流器の中間位置から引き出されていることを特徴とする請求項１記載の回路遮断器。
【請求項３】
前記ケースが前記器体の一つの側壁に隣接して配置され、前記２次出力線が前記器体に設けた引出部を通して器体の外部に引き出され、前記２次出力線をケースから引き出している部位と器体に設けた引出部との距離を小さくする向きで前記ケースが前記器体に収納されていることを特徴とする請求項１または請求項２記載の回路遮断器。
【請求項４】
前記器体内に、前記１次側導体および前記接点を収納する第１収納室と、器体の１つの側壁に沿って形成され一端部が第１収納室と連通する第２収納室とが形成され、前記２次側導体が第２収納室の前記一端部から他端部に向かって引き回されるとともに第２収納室の前記他端部において各２次側導体の端部を器体の外部にそれぞれ引き出す３個の導出口が器体の側壁に形成され、前記両変流器がともに第２収納室の前記一端部に配置されかつ器体においてハンドルが露出する一面に交差する方向に２個の変流器が並ぶ形で前記ケースが器体内に配設されていることを特徴とする請求項１記載の回路遮断器。
【請求項５】
３個の前記導出口が前記第２収納室に沿う方向において互いに異なる位置に配列され、前記ケースとの距離がもっとも小さい導出口を通して器体の外部に引き出される前記２次側導体が、器体において前記ハンドルを露出させる前記一面から遠い方の変流器に貫通されていることを特徴とする請求項４記載の回路遮断器。
【発明の詳細な説明】
【０００１】
【発明の属する技術分野】
本発明は、１次側導体と２次側導体との間に接点が挿入された主電路を３極備え、２つの２次側導体がそれぞれ貫通する２個の変流器を主電路とともに器体内に配設した回路遮断器に関するものである。
【０００２】
【従来の技術】
従来から、回路遮断器において通過電流の大きさを監視するための変流器を器体に内蔵したものが提供されている。たとえば、特開平７−２１１２１７号公報には、変流器により検出した通過電流を過電流と判断するとトリップコイルに通電してプランジャを駆動することにより開閉機構を動作させて接点を開極させる構成が記載されている。この公報には、変流器を用いて通過電流を監視する技術を採用すると、電磁石やバイメタルを用いた機械式の構成を採用する場合に比較して定格電流や引外し特性の調整が容易になる旨の記載がある。
【０００３】
上記公報に記載のものは通過電流の監視によって過電流が流れると接点を開極させるものであるが、通過電流の監視情報を器体の外部に取り出すことにより、分岐回路の開閉に用いたり通過電流の表示に用いたりする構成も知られている（特開平１１−１３４９９９号公報）。この公報には、単相３線の主電路の２本を各別の変流器に貫通させる構成が記載されている。つまり、単相３線に対して２個の変流器を適用し、両変流器を器体に収納する構成が記載されている。
【０００４】
【発明が解決しようとする課題】
ところで、後者の公報に記載の技術のように、２個の変流器を器体に収納しようとすれば、いずれの公報に記載の技術であっても２個の変流器を器体に個別に収納しなければならないから、変流器を器体内に配設する作業には手間がかかるという問題が生じる。
【０００５】
また、変流器には主電路が１次側入力線として貫通され、２次出力線が変流器から引き出されるから、２個の変流器を器体内に収納した場合には各変流器からそれぞれ引き出された２次出力線を器体の内部で束ねることによって、２次出力線が器体内の他の部材に絡まる可能性を低減する必要がある。しかしながら、２個の変流器を器体に順に収納した後に２次出力線を束ねるから、各変流器から２次出力線を引き出す位置が離れていると他の部材に２次出力線が絡んで２次出力線が断線する可能性が高くなる。
【０００６】
２次出力線が他の部材に絡まる可能性を低減するには、各変流器から２次出力線を引き出す位置が近接して変流器が器体に収納されるように、注視しながら器体に変流器を収納しなければならず、このことからも変流器を器体内に配設する作業には手間がかかるという問題がある。
【０００７】
本発明は上記事由に鑑みて為されたものであり、その目的は、２個の変流器を器体に内蔵しながらも変流器を組み込む作業を容易にした回路遮断器を提供することにある。
【０００８】
【課題を解決するための手段】
請求項１の発明は、３極の接点が収納され全接点を一括してオンにするオン操作の可能なハンドルが一面から外部に露出した器体と、器体に配設され各接点がそれぞれ挿入された主電路を形成する３組の１次側導体および２次側導体と、２次側導体のうちの２本をそれぞれ１次入力線として貫通させる２個の変流器とを備えた回路遮断器において、各変流器を貫通する２次側導体が並行するように両変流器を並設した形で一括して収納するケースが器体内に配設されるとともに、両変流器の２次出力線がケースの１箇所からまとめて引き出されており、変流器に貫通される２本の２次側導体において変流器に貫通する部位と、変流器に貫通されない１本の２次側導体の一部とがそれぞれ絶縁被覆電線からなり、変流器に貫通されない１本の２次側導体における絶縁被覆電線が嵌合する位置決め凹所がケースの外周部に形成されていることを特徴とする。
【０００９】
請求項２の発明は、請求項１の発明において、前記２次出力線が両変流器の中間位置から引き出されていることを特徴とする。
【００１０】
請求項３の発明は、請求項１または請求項２の発明において、前記ケースが前記器体の一つの側壁に隣接して配置され、前記２次出力線が前記器体に設けた引出部を通して器体の外部に引き出され、前記２次出力線をケースから引き出している部位と器体に設けた引出部との距離を小さくする向きで前記ケースが前記器体に収納されていることを特徴とする。
【００１３】
請求項４の発明は、請求項１の発明において、前記器体内に、前記１次側導体および前記接点を収納する第１収納室と、器体の１つの側壁に沿って形成され一端部が第１収納室と連通する第２収納室とが形成され、前記２次側導体が第２収納室の前記一端部から他端部に向かって引き回されるとともに第２収納室の前記他端部において各２次側導体の端部を器体の外部にそれぞれ引き出す３個の導出口が器体の側壁に形成され、前記両変流器がともに第２収納室の前記一端部に配置されかつ器体においてハンドルが露出する一面に交差する方向に２個の変流器が並ぶ形で前記ケースが器体内に配設されていることを特徴とする。
【００１４】
請求項５の発明は、請求項４の発明において、３個の前記導出口が前記第２収納室に沿う方向において互いに異なる位置に配列され、前記ケースとの距離がもっとも小さい導出口を通して器体の外部に引き出される前記２次側導体が、器体において前記ハンドルを露出させる前記一面から遠い方の変流器に貫通されていることを特徴とする。
【００１５】
【発明の実施の形態】
本実施形態では、住宅用分電盤の主幹開閉器に用いる回路遮断器を例示する。つまり、本実施形態で説明する回路遮断器は単相３線に適合する。図６および図７に示すように、器体１は合成樹脂成形品であり、前面（図７の左面）が開口するボディ４１と、ボディ４１の前面に覆着されるカバー４２とを結合して形成される。器体１は直方体状の部分の一面に連続一対に突部を設けた形状に形成されている。具体的には、図６に示すように、直方体状に形成された部分の上面の右端部から突部が突設された形状であって、直方体状の部分の上縁に沿って端子台１１が形成される。端子台１１は両端の側壁と２枚の絶縁壁１２とにより図の左右方向において３区画に分割され、端子ねじ（図示せず）とともに１次側端子１０を構成する端子板１３が各区画内にそれぞれ配設される。３個の１次側端子１０のうちの中央の１次側端子１０には電源側の中性線が接続され、左右の１次側端子１０には電源側の電圧線が接続される。
【００１６】
一方、器体１の右側面の上部には３個の２次側端子２０が配列される。図７に示すように、３個の２次側端子２０のうちの２個はボディ４１の底部付近の導出口４３ａ，４３ｂを通して器体１から外部に突出し、残りの１個の２次側端子２０はボディ４１とカバー４２との突き合わせ部位に設けた導出口４３ｃを通して器体１から外部に突出する。各２次側端子２０は各１次側端子１０と一対一に対応し、互いに対応する１次側端子１０と２次側端子２０との間にそれぞれ接点３１（図３参照）が挿入される。各２次側端子２０には分電盤内において分岐開閉器との間を接続するための導電路となる導電バー（図示せず）がそれぞれ接続される。
【００１７】
図３に示すように、各接点３１は、１次側端子１０の端子板１３の下縁から延設された接点保持片１４に固着された固定接点１５と、固定接点１５に対して離接する可動接点２５とによりそれぞれ構成され、可動接点２５は可動接触子２４に固着される。さらに、各可動接触子２４は２次側端子２０に接続された絶縁被覆電線である３本の接続線２３にそれぞれ電気的に接続される。要するに、１次側端子１０とともに１次側導体１６を形成する接点保持片１４と、２次側端子２０および接続線２３とともに２次側導体２６を形成する可動接触子２４との間に、固定接点１５と可動接点２５とからなる接点３１が挿入される。
【００１８】
３個の可動接触子２４は開閉機構部２を介してハンドル３に結合されている。ハンドル３はカバー４２の前面の中央部に開口するハンドル挿通孔４４（図６参照）を通して器体１から起伏可能に露出しており、オン操作を行うと開閉機構部２を介して３個の可動接触子２４を同時に移動させ接点３１を閉極させる。開閉機構部２はばねおよびリンクを組み合わせて構成され、接点３１が閉極した状態で接点３１を開極させる向きの勢力を蓄積してラッチされ、ラッチを解除すると蓄積した勢力を放出して可動接触子２４を移動させることにより接点３１を急速に開極させるように構成されている。また、開閉機構部２は接点３１が閉極した状態でハンドル３をオフ操作することによって３個の可動接触子２４を同時に移動させて接点３１を開極させることも可能になっている。つまり、１個のハンドル３により接点３１の開閉操作が可能になっている。
【００１９】
ところで、ボディ４１の内部は、仕切壁４５を介して第１収納室４６と第２収納室４７とに分割され、第２収納室４７は図３におけるボディ４１の右側部において上下方向に延長されている。第１収納室４６の図３における上部は端子台１１に設けた絶縁壁１２の延長部分によって左右方向において３区画に分割され、各区画は第１収納室４６の下部に開放されている。また、各区画にはそれぞれ１次側導体１６と接点３１と２次側導体２６の一部（可動接触子２４）とが収納される。第１収納室４６と第２収納室４７とは下部同士が連続しており、２次側導体２６の一部である接続線２３は第１収納室４６と第２収納室４７との連続部分を通して第２収納室４７の上端部まで延長される。開閉機構部２は第１収納室４６に収納され、２次側端子２０は第２収納室４７の他端部に配置される。
【００２０】
第１収納室４６の下部にはプリント基板からなる回路基板３２が収納され、回路基板３２には主電路に漏電電流（漏洩電流もしくは地絡電流）が流れたことを検出するために零相変流器ＺＣＴとともに回路部品が実装される。零相変流器ＺＣＴはトロイダルコアを備え、トロイダルコアの中央孔に３本の接続線２３が１次入力線として貫通される。零相変流器ＺＣＴの２次出力は回路基板３２に実装した保護回路（図示せず）に入力され、保護回路では、零相変流器ＺＣＴの２次出力に基づいて漏電を検出すると電磁石装置である電磁釈放装置３３を作動させる。さらに、主電路に短絡電流や過負荷電流のような異常電流が流れたことを検出して変位する引外し装置４も第１収納室４６に配置される。引外し装置４の一部は電圧線と電気的に接続される両側の２次側導体２６に挿入される。しかして、電圧線に電気的に接続される可動接触子２４は引外し装置４を介して接続線２３に接続される。回路基板３２には漏電検出時に正常に作動することを試験するための試験回路も実装され、電磁釈放装置３３の近傍に設けたテストスイッチＳＷがカバー４２の前面に露出するテスト釦４８（図６参照）の押操作によってオンになると、試験回路によって零相変流器ＺＣＴに不平衡電流を流し、漏電状態を擬似的に発生させることができるようにしてある。
【００２１】
第１収納室４６には連動バー４９が図３の面に直交する面内で回動可能となるように軸支される。連動バー４９の左右各端部の下側には引外し装置４がそれぞれ配設され、また連動バー４９の右端部の上側には電磁釈放装置３３が配設される。連動バー４９は、引外し装置４と電磁釈放装置３３との一方が作動することによって回転する。連動バー４９の中央部は開閉機構部２と連携しており、連動バー４９が引外し装置４または電磁釈放装置３３の作動により回転すると開閉機構部２のラッチを解除し可動接触子２４を移動させて接点３１を強制的に開極させる。開閉機構部２および連動バー４９の構成については本発明の要旨ではなく周知技術であるからここでは詳述しない。
【００２２】
ところで、第２収納室４７には第１収納室４６と連続する部位付近に２個の変流器ＣＴ（図１参照）が図３の面に直交する方向に並設される形で収納される。２個の変流器ＣＴは図１に示すように１つのケース５０に収納される。各変流器ＣＴはトロイダルコア５１に２次巻線５２を巻回して形成されている。一方、ケース５０は２個の変流器ＣＴをそれぞれ収納する２個の収納室５３ａ，５３ｂを備え眼鏡型に形成されている。すなわち、ケース５０は、底板５４における各収納室５３ａ，５３ｂの中央部に対応する部位にそれぞれトロイダルコア５１の中央孔に挿通される内筒５５が立設されるとともに、トロイダルコア５１の外周を囲む外周壁５６が底板５５の周縁に沿って形成された形状を有する。内筒５５には２次側導体２６である接続線２３が１本ずつ挿通され、結果的に各変流器ＣＴに１次入力線として電圧線に電気的に接続される２本の接続線２３がそれぞれ貫通することになる。また、両内筒５５の中心軸は平行であって、各内筒５５に挿通される両接続線２３が並行することになる。
【００２３】
両収納室５３ａ，５３ｂの外周壁５６は滑らかに連続し、両収納室５３ａ，５３ｂが並ぶ方向（つまり、ケース５０の長手方向）の中央部における一方の側面には位置決め凹所５７が形成される。さらに、ケース５０の内部では両収納室５３ａ，５３ｂを仕切る仕切壁５８が設けられ、仕切壁５８において位置決め凹所５７とは反対側の端部には出力線保持部５８ａが形成されている。位置決め凹所５７には３本の接続線２３のうち中性線に電気的に接続される接続線２３が嵌合可能であって、この接続線２３は変流器ＣＴに貫通されることなく、ケース５０を器体１に収納した状態で仕切壁４５と位置決め凹所５７との間の隙間を通して第１収納室４６から第２収納室４７に導入される。仕切壁４５は、図４に示すように、第１収納室４６と第２収納室４７とが連続する部位の近傍（つまり、図３の下端部付近）では第１収納室４６に向かって屈曲した形状に形成され、この部位では第２収納室４７の幅が他の部位よりも広くなっている。このように第２収納室４７が広幅である部位にケース５０を収納することによって、第２収納室４７の他の部位は接続線２３の径程度の幅として器体１の大型化を防止しながらも、ケース５０を収まりよく器体１に収納することができる。出力線保持部５８ａは各変流器ＣＴの２次巻線５２の末端に接続された２次出力線５９を保持する機能を有し、両変流器ＣＴの２次出力線５９が両変流器ＣＴの中間位置でケース５０の１箇所からまとめて引き出されることになる。
【００２４】
上述のようにして２個の変流器ＣＴを一括して収納したケース５０には、図２に示すように変流器ＣＴがケース５０の外部に露出しないように、樹脂が充填されるかケース５０の開口部を閉塞する蓋が設けられる。ケース５０から引き出された４本の２次出力線５９は、器体１における第２収納室４７を囲む側壁であってボディ４１とカバー４２とを突き合わせる部位に設けた引出部１ａを通して器体１の外部に引き出される。ケース５０を器体１に収納するにあたっては、ケース５０から２次出力線５９を引き出している部位と器体１に設けた引出部１ａとの距離ができるだけ小さくなるように、ケース５０の向きが設定される。つまり、図１に示す収納室５３ｂがボディ４１の底壁側になるようにケース５０の向きが設定される。本実施形態では、ケース５０が上述した形状であるから、位置決め凹所５７と仕切壁４５との間に接続線２３を通すようにケース５０を配置することによって、この条件が自動的に満たされる。また、ケース５０をこの向きで器体１に収納することによって２個の変流器ＣＴはボディ４１の深さ方向（つまり、ハンドル３が露出する一面に交差する方向）に並ぶ形でケース５０が器体１内に配設されることになる。
【００２５】
ところで、図３から明らかなように、導出口４３ａ，４３ｂ，４３ｃは第２収納室４７に沿う方向において互いに異なる位置に配列されており、電圧線に電気的に接続される２次側導体２６としての２個の２次側端子２０は、それぞれ導出口４３ａ，４３ｂを通して器体１の外部に引き出される。残りの導出口４３ｃは、第２収納室４７に沿う方向において両導出口４３ａ，４３ｂの間に配置され、かつ導出口４３ａ，４３ｂよりも器体１の前面寄りに配置される。導出口４３ａ，４３ｂ，４３ｃのうちケース５０との距離がもっとも小さい導出口４３ｂを通して器体１の外部に引き出される２次側導体２６（つまり、２次側端子２０）は、図４および図５に示すように、２個の変流器ＣＴのうちボディ４１の底側（つまり、ハンドル３を露出させる器体１の前面から遠い方の変流器ＣＴ）を貫通する接続線２３に接続される。導出口４３ａから引き出される２次側端子２０には器体１の前面側の変流器ＣＴを貫通する接続線２３が接続され、残りの導出口４３ｃから引き出される２次側端子２０には位置決め凹所５７に嵌合する接続線２３が接続される。
【００２６】
接続線２３が上述のように配置されていることによって、接続線２３を第２収納室４７に収納する際に、導出口４３ｂを通して突出する２次側端子２０に接続線２３を接続した後に他の２次側端子２０に接続線２３を接続することができる。つまり、他の導出口４３ａ，４３ｃを通して突出する２次側端子２０に先に接続線２３を接続すると、導出口４３ｂが接続線２３で隠れることになり接続作業の作業性が悪くなるが、導出口４３ｂに対応する２次側端子２０に最初に接続線２３を接続することによって不都合なく接続作業を行うことができる。しかも、図４および図５から明らかなように、上述した関係で２次側端子２０に接続線２３を接続することによって、変流器ＣＴを通った２本の接続線２３を交差させることなく配設することができ、両接続線２３が交差する場合に比較すると第２収納室４７への接続線２３の収納作業が容易になる。
【００２７】
上述した主幹開閉器（主幹ブレーカ）Ａは、図８に示すように分岐開閉器（分岐ブレーカ）Ｂとともに分電盤Ｃに収納される。また、図示例では変流器ＣＴの２次出力線５９に電気的に接続した過電流警報器Ｄも分電盤Ｃに収納してある。過電流警報器Ｄでは変流器ＣＴの２次出力を監視することによって２次側導体２６に過電流が流れたことを検出すると警報報知する。なお、図８は本発明の一使用形態を示すものであって、このような使用形態に限定されるものではなく、たとえば、過電流に対して特定回路を遮断する回路遮断器を動作させたり、通過電流を監視する目的で用いることも可能である。
【００２８】
【発明の効果】
請求項１の発明は、３極の接点が収納され全接点を一括してオンにするオン操作の可能なハンドルが一面から外部に露出した器体と、器体に配設され各接点がそれぞれ挿入された主電路を形成する３組の１次側導体および２次側導体と、２次側導体のうちの２本をそれぞれ１次入力線として貫通させる２個の変流器とを備えた回路遮断器において、各変流器を貫通する２次側導体が並行するように両変流器を並設した形で一括して収納するケースが器体内に配設されるとともに、両変流器の２次出力線がケースの１箇所からまとめて引き出されており、変流器に貫通される２本の２次側導体において変流器に貫通する部位と、変流器に貫通されない１本の２次側導体の一部とがそれぞれ絶縁被覆電線からなり、変流器に貫通されない１本の２次側導体における絶縁被覆電線が嵌合する位置決め凹所がケースの外周部に形成されているものであり、２個の変流器を並設した形で一括して収納するケースを設けているので、変流器を器体内に収納する際に複数部品を個々に収納する必要がなく組立作業の作業性が向上する。また、２個の変流器の２次出力線をケースの１箇所からまとめて引き出しているので、各変流器の２次出力線を束ねるのが容易であり、器体内で２次出力線が他の部材に引っ掛かることによって断線する可能性を低減することができる。さらに、２次側導体において変流器に貫通する部位が絶縁被覆電線からなるので、２次側導体を変流器に貫通させやすいという利点があり、しかも２次側導体間の絶縁性能を確保しやすくなる。さらにまた、変流器に貫通されない２次側導体である絶縁被覆電線を位置決め凹所に嵌合させることによって位置決めすることができるので、変流器を収納したケースによってすべての２次側導体が位置決めされることになり、２次側導体である絶縁被覆電線を器体内に収納する作業が容易になる。
【００２９】
請求項２の発明は、請求項１の発明において、前記２次出力線が両変流器の中間位置から引き出されているので、各変流器と２次出力線とを接続する電線のケース内における引き回し量が少なく、ケース内での断線が生じにくくなる。
【００３０】
請求項３の発明は、請求項１または請求項２の発明において、前記ケースが前記器体の一つの側壁に隣接して配置され、前記２次出力線が前記器体に設けた引出部を通して器体の外部に引き出され、前記２次出力線をケースから引き出している部位と器体に設けた引出部との距離を小さくする向きで前記ケースが前記器体に収納されているものであり、器体内での２次出力線の引き回し量が少なくなるから、器体内での２次出力線の断線の可能性をさらに低減することができる。
【００３３】
請求項４の発明は、請求項１の発明において、前記器体内に、前記１次側導体および前記接点を収納する第１収納室と、器体の１つの側壁に沿って形成され一端部が第１収納室と連通する第２収納室とが形成され、前記２次側導体が第２収納室の前記一端部から他端部に向かって引き回されるとともに第２収納室の前記他端部において各２次側導体の端部を器体の外部にそれぞれ引き出す３個の導出口が器体の側壁に形成され、前記両変流器がともに第２収納室の前記一端部に配置されかつ器体においてハンドルが露出する一面に交差する方向に２個の変流器が並ぶ形で前記ケースが器体内に配設されているものであり、ケースは２個の変流器が並ぶ方向における寸法が他の方向の寸法よりも大きいから、２個の変流器が器体においてハンドルの露出する面に交差する方向に並ぶ形でケースを器体に配設することによって、器体においてハンドルが露出する面での幅寸法を大きくすることなくケースを器体に収納することができる。つまり、器体を分電盤に配置するときの占有面積を比較的小さくすることができる。
【００３４】
請求項５の発明は、請求項４の発明において、３個の前記導出口が前記第２収納室に沿う方向において互いに異なる位置に配列され、前記ケースとの距離がもっとも小さい導出口を通して器体の外部に引き出される前記２次側導体が、器体において前記ハンドルを露出させる前記一面から遠い方の変流器に貫通されているものであり、ケースとの距離がもっとも小さい導出口に対応する２次側導体を器体から引き出す前に、この導出口が他の２次側導体によって隠されることがなく、第２収納室に２次側導体を収納して導出口から引き出す作業を容易に行うことができる。また、第２収納室に収納される２次側導体である絶縁被覆電線をハンドルから遠い方の変流器に貫通させているから、各変流器を通る２次側導体が第２収納室内で交差することがなく、このことによって第２収納室の幅寸法を比較的小さく設計しながらも２次側導体を第２収納室に容易に収納することができる。
【図面の簡単な説明】
【図１】本発明の要部の分解斜視図である。
【図２】同上の要部の斜視図である。
【図３】同上のカバーを開いた正面図である。
【図４】同上の要部分解斜視図である。
【図５】同上の要部断面図である。
【図６】同上の正面図である。
【図７】同上の側面図である。
【図８】同上の使用例を示す正面図である。
【符号の説明】
１  器体
１ａ  引出部
２  開閉機構部
３  ハンドル
１６  １次側導体
２３  接続線
２６  ２次側導体
３１  接点
４３ａ，４３ｂ，４３ｃ  導出口
４６  第１収納室
４７  第２収納室
５０  ケース
５７  位置決め凹所
５９  ２次出力線
ＣＴ  変流器
【図１】
0003763278.tif 000002
【図２】
0003763278.tif 000003
【図３】
0003763278.tif 000004
【図４】
0003763278.tif 000005
【図５】
0003763278.tif 000006
【図６】
0003763278.tif 000007
【図７】
0003763278.tif 000008
【図８】
0003763278.tif 000009